(57)【要約】【要  約】【課  題】ダイオキシン類等の有機塩素系化合物によって汚染された土壌や灰等の汚染物質を浄化する方法および装置を提供する。【解決手段】反応鉄材１７を内蔵する分解槽２内に、有機塩素系化合物に汚染された物質ｐと、少なくとも嫌気性微生物ｃとを導入し、前記分解槽２内を嫌気的条件に調整して前記嫌気性微生物ｃの増殖と代謝とを行わせることにより前記有機塩素系化合物ｐを還元分解して浄化する有機塩素系化合物で汚染された物質の浄化方法。【選択図】      図１
2006239559.tif 000002
【特許請求の範囲】
【請求項１】
反応鉄材を内蔵する分解槽内に、ダイオキシン等の有機塩素系化合物に汚染された土壌と、少なくとも嫌気性微生物を含んだコンポスト又は土壌とを導入し、前記分解槽内を嫌気的条件に調整して前記嫌気性微生物の増殖と代謝とを行わせることにより前記有機塩素系化合物を還元分解して浄化することを特徴とする有機塩素系化合物で汚染された土壌の浄化方法。
【請求項２】
分解槽内に導入された有機塩素系化合物に汚染された土壌と嫌気性微生物含有土壌とを攪拌混合することを特徴とする請求項１記載の有機塩素系化合物で汚染された土壌の浄化方法。
【請求項３】
有機塩素系化合物で汚染された物質と嫌気性微生物および好気性微生物を第一の分解槽に導入し、該第一分解槽内を好気的条件として前記好気性微生物の増殖と代謝とを行わせることにより前記有機塩素系化合物の一部を酸化分解させるとともに、該有機塩素系化合物の一部が酸化分解された物質を反応鉄材が内蔵された第二の分解槽に導入し、該第二の分解槽内を嫌気的条件に調整して前記嫌気性微生物の増殖と代謝とを行わせることにより、残留する有機塩素系化合物を還元分解して浄化することを特徴とする有機塩素系化合物で汚染された土壌の浄化方法。
【請求項４】
本体内に攪拌翼を配置するとともに反応鉄材を内蔵する分解槽と、前記攪拌翼の駆動装置と、有機塩素系化合物に汚染された物質と嫌気性微生物とを前記分解槽内に供給する処理物供給装置とからなることを特徴とする有機塩素系化合物で汚染された土壌の浄化装置。
【請求項５】
攪拌翼の少なくとも一部を多孔質構造となし、該攪拌翼内に反応鉄材を収納したことを特徴とする請求項３記載の有機塩素系化合物で汚染された土壌の浄化装置。
【請求項６】
パドル型の攪拌翼であって該攪拌翼の回転方向の後側に多孔板配置したことを特徴とする請求項４記載の有機塩素系化合物で汚染された土壌の浄化装置。
【請求項７】
反応鉄材が、粒状に形成されていることを特徴とする請求項３乃至５記載の有機塩素系化合物で汚染された土壌の浄化装置。
【請求項８】
本体内にそれぞれ攪拌翼を有する第一の分解槽および第二の分解槽と、前記攪拌翼をそれぞれ回転させる第一の駆動装置と第二の駆動装置と、前記第一の分解槽内に有機塩素系化合物に汚染された土壌と嫌気性微生物および好気性微生物と供給する第一の処理物供給装置と、前記第一の分解槽から排出される処理物を第二の分解槽に供給する第二の処理物供給装置とからなり、前記第二の分解槽に反応鉄材を内装させるとともに、前記第一の分解槽の排出口と前記第二の分解槽の投入口とを遮断可能に連通させたことを特徴とする有機塩素系化合物で汚染された土壌の浄化装置。
【発明の詳細な説明】
【技術分野】
【０００１】
本発明は、有機塩素系化合物で汚染された物質の浄化方法および装置、より詳しくはダイオキシン類等の有機塩素系化合物によって汚染された土壌や灰等の汚染物質を浄化する方法および装置に関するものである。
【背景技術】
【０００２】
従来、環境問題の一つとして、ダイオキシン類等の有機塩素系化合物（以下
有機塩素系化合物という）で汚染された土壌や灰等の汚染物質を浄化することが実施されている。その方法として、溶融法、熱分解法、超臨界抽出法や生物的方法が提案されている。このうち、比較的広範囲で低濃度の汚染物質の浄化や環境修復には、経済性および技術面から生物的方法が好ましいとされている。
【０００３】
この生物的方法は、例えば、特開平１０−３４１２８号公報（以下特許文献１という）や本件特許出願人が先に出願している特開２００３―１６４８４９号（以下特許文献２という）に示されるように、嫌気性微生物と好気性微生物とを汚染物質に混合し、この汚染物質を嫌気的条件において嫌気性微生物を増殖と代謝活動を行わせることにより、２〜８塩素化ダイオキシン類を還元分解、すなわち還元的脱塩素化し、そして、好気的条件の基において好気性微生物を増殖と代謝活動を行わせることにより、１〜３塩素化ダイオキシン類を酸化分解するものである。
【０００４】
そして、この汚染物質を嫌気的条件と好気的条件に置くことを交互に繰り返しながらダイオキシン類等を還元分解および酸化分解させることにより有機塩素系化合物で汚染された土壌や灰等の汚染物質を浄化するようにしたものである。
【特許文献１】特開平１０−３４１２８号公報
【特許文献２】特開２００３−１６４８４９号公報
【発明の開示】
【発明が解決しようとする課題】
【０００５】
ところで、前記従来の生物的方法により有機塩素系化合物で汚染された物質を浄化する方法においては、その浄化に長時間を要したり、または特別な装置が必要になるなど効率的な汚染物質の浄化ができないという問題があった。
【０００６】
具体的には、汚染された物質を嫌気的条件（Ｏ2 が１％以下程度）と好気的条件（空気レベルのＯ2 含有量程度）とに相互に繰返して置くこととなっているが、この場合、特に嫌気的条件とするために、一定時間静置する（６〜１２時間）こと、または脱気（Ｏ2 が１％以下程度の存在）することとされている（特許文献２）。
【０００７】
そのため、一定時間静置して所定の嫌気条件とするのには長時間を必要とし、また、脱気により嫌気条件とするためには、特別の排気装置（例えば、真空ポンプ、排気ブロック）等が必要になるなどの問題がある。
【課題を解決するための手段】
【０００８】
本発明は、前記従来の問題点を解決するためになされたものであって、次のように構成されている。
【０００９】
１）請求項１に記載の発明は、反応鉄材を内蔵する分解槽内に、ダイオキシン等の有機塩素系化合物（以下、有機塩素系化合物）に汚染された土壌と、少なくとも嫌気性微生物を含んだコンポスト又は土壌とを導入し、前記分解槽内を嫌気的条件に調整して、前記嫌気性微生物の増殖と代謝とを行わせることにより前記有機塩素系化合物を還元分解して浄化することを特徴としている。
【００１０】
このような有機塩素系化合物で汚染された物質の浄化方法によれば、分解槽内に存在する酸素により反応鉄材の表面に積極的に酸化皮膜を形成させることにより酸素を除去するものであり、極めて容易に嫌気的条件を形成することができるのである。
【００１１】
２）また、請求項２に記載の発明は、反応鉄材を内蔵する分解槽内に導入された有機塩素系化合物に汚染された物質と嫌気性微生物とを攪拌することを特徴としている。
【００１２】
かかる有機塩素系化合物で汚染された物質の浄化方法によれば、分解槽内に存在する酸素を反応鉄材の表面に積極的に酸化皮膜を形成することによって除去することができる。また、分解槽内を容易に嫌気的条件を形成できるとともに攪拌により嫌気性微生物の増殖と代謝が促進されるため、より効果的な有機塩素系化合物で汚染された物質の浄化が可能となるのである。
【００１３】
３）更に、請求項３に記載の発明は、有機塩素系化合物で汚染された物質と嫌気性微生物および好気性微生物を第一の分解槽に導入し、この第一分解槽内を好気的条件として前記好気性微生物の増殖と代謝とを行わせることにより前記有機塩素系化合物の一部を酸化分解させることができ、更に、この有機塩素系化合物の一部が酸化分解された物質を反応鉄材が内蔵された第二の分解槽に導入し、この第二の分解槽内を嫌気的条件となるように調整して前記嫌気性微生物の増殖と代謝とを行わせることにより、残留する有機塩素系化合物を還元分解して浄化することを特徴としている。
【００１４】
このような有機塩素系化合物で汚染された物質の浄化方法によれば、第一の分解槽で有機塩素系化合物の一部が酸化分解され、そして、第二の分解槽で残る有機塩素系化合物が還元分解されるため、広範囲な有機塩素系化合物の分解ができる。そのため、有機塩素系化合物で汚染された物質の浄化を十分に行うことができる。
【００１５】
４）請求項４に記載の発明は、本体内に攪拌翼を配置するとともに反応鉄材を内蔵する分解槽と、前記攪拌翼の回転駆動装置と、有機塩素系化合物に汚染された物質と嫌気性微生物とを前記分解槽内に供給する処理物供給装置とからなる有機塩素系化合物で汚染された物質の浄化装置である。
【００１６】
このような構成による有機塩素系化合物で汚染された物質の浄化装置によれば、分解槽内を容易に嫌気的条件とすることができるとともに嫌気性微生物の増殖と代謝が促進されるため、有機塩素系化合物で汚染された物質の浄化を効率よく行うことができる。
【００１７】
５）請求項５に記載の発明は、攪拌翼の少なくとも一部を多孔質構造となし、該攪拌翼内に反応鉄材を収納したことを特徴としている。
【００１８】
このように構成された有機塩素系化合物で汚染された物質の浄化装置によれば、反応鉄材と汚染物質とか混合することがなくなるため、処理後の分離作業が必要なくなる。しかも、多孔質、好ましくはメッシュ構造を通して攪拌翼の内部に通気するため嫌気的条件の形成に支障はない。
【００１９】
６）請求項６に記載の発明は、パドル型の攪拌翼であって該攪拌翼の回転方向の後側に多孔質板を配置したことを特徴としている。
【００２０】
このように構成された有機塩素系化合物で汚染された物質の浄化装置によれば汚染物質が多孔板構造、好ましくはメッシュ材を通して攪拌翼内に侵入することがなくなるため、分解槽内を容易にかつ効果的に嫌気的条件とすることができる。
【００２１】
７）請求項７に記載の発明は、反応鉄材が粒状に形成されている有機塩素系化合物で汚染された物質の浄化装置である。
【００２２】
このように構成された有機塩素系化合物で汚染された物質の浄化装置によれば、反応鉄材の表面積が大となり嫌気的条件を短時間に形成することができるばかりでなく、例えば、多孔質板で閉止されている構造体の空間に反応鉄材を収納することで汚染物質との混合を避けることができるため、より効果的な有機塩素系化合物で汚染された物質の浄化が可能となる。
【００２３】
８）更に、請求項８に記載の発明は、本体内にそれぞれ攪拌翼を有する第一の分解槽および第二の分解槽と、前記攪拌翼をそれぞれ回転させる第一の駆動装置と第二の駆動装置と、前記第一の分解槽内に有機塩素系化合物に汚染された物質と嫌気性微生物および好気性微生物と供給する第一の処理物供給装置と、
前記第一の分解槽から排出される処理物を第二の分解槽に供給する第二の処理物供給装置からなり、前記第二の分解槽に鉄基材を内装させるとともに前記第一の分解槽の排出口と前記第二の分解槽の投入口とを連通させるように構成したことを特徴とする有機塩素系化合物で汚染された物質の浄化装置である。
【００２４】
このように構成された有機塩素系化合物で汚染された物質の浄化装置によれば、第一の分解槽で有機塩素系化合物の一部が酸化分解され、そして、第二の分解槽で残る有機塩素系化合物が還元分解されるため、広範囲な有機塩素系化合物の分解ができるばかりでなく、第二分解槽内を簡単にかつ短時間に嫌気的条件に形成することができる。
【発明の効果】
【００２５】
以上の説明から明らかなように、本発明による有機塩素系化合物で汚染された物質の浄化方法および装置によれば、生物的方法により有機塩素系化合物を分解する場合において、反応鉄材の強力な酸化反応作用により、分解槽内を短時間にかつ容易に酸素が不足する嫌気的条件とすることができるという効果を奏する。
【発明を実施するための最良の形態】
【００２６】
以下、本発明を図面を参照して実施形態について説明する。
【００２７】
図１は、本発明による有機塩素系化合物で汚染された物質の浄化方法を実施するために用いられる分解槽の概略側断面図であって、１は、分解槽２の本体であり、この分解槽２には投入口３および排出口４が前後に設けられると共にこの投入口３と排出口４とには２個の弁体を協働させてシール作用を行う多重弁５、６が配置されている。
【００２８】
そして、この分解槽２内には、減速器付モータの如き駆動装置７により回転されるパドル型の攪拌機８が配置されている。９は、処理材供給装置であるスクリューコンベアであり、２０は加熱器、２１は水供給用配管、２２は水噴出ノズルである。
【００２９】
パドル型の攪拌機８を構成する攪拌翼１０は、図２に示すように回転軸１１に一端が固着された二本の縦部材１２ａ、１２ｂと、この縦部材１２ａ、１２ｂの先端に取り付けられ、かつ本体１の内壁に沿って回転する横部材１３を門形に構成している。各縦部材１２ａ、１２ｂと横部材１３は、特に図３に示すように回転方向Ｍである前側は、その断面において角αを有する山形材１４を使用し、その後面側をステンレス等よりなる多孔板やメッシュ板１５を配置して空間構造に形成されている。
【００３０】
そして、この山形材１４と多孔板やメッシュ材１５とにより形成された空間部１６内には反応鉄材１７が充填されている。この反応鉄材１７の形状は特に限定されるものではないが、例えば、２〜７ｍｍの粒状体あるいは焼結金属などの多孔質金属を使用して表面積を多く取ると共に３〜７ｍｅｓｈ多孔板あるいはメッシュのメッシュ材１５の網目より大径とするのが良い。
【００３１】
この反応鉄材１７は、分解槽内で回転しながら汚染土壌と積極的に接触するので、内部の雰囲気や汚染土壌を効率的に酸化作用させて嫌気性微生物が活動し易い嫌気的条件とすることができる。
【００３２】
このようにして、分解槽２と駆動装置７と処理物供給装置であるスクリューコンベア９とによって有機塩素系化合物で汚染された物質ｐの浄化装置Ａが構成されている。
【００３３】
ここで「嫌気性微生物と好気性微生物」を例示すると下記の通りである。
ダイオキシン類に対する分解能を有する嫌気性微生物あるいは好気性微生物としては、単一種に限らず、複数の種や菌株を含む微生物群も用いることができる。これらの微生物は、ダイオキシン類汚染物質などから既知のスクリーニング方法により採取することができるので、それを培養して種菌として使用できる。
【００３４】
また、本発明に適合する範囲で、ダイオキシン類等に対する分解活性を持つことが知られている公知の微生物種、菌株、菌群等を使用することができる。
【００３５】
ダイオキシン類に対する分解能を有する嫌気性微生物の代表的な例としては、メタノバクテリウム(Methanobacterium)属、メタノサルシナ(Methanosarcina)
属、メタノロブス(Methanolobus)属などの嫌気性古細菌、アセトバクテリウム(Acetobacterium)属、デスルフォバクテリウム(Desulfobacterium)属、デスフォモニル(Desulfomonile)属、デハロスピリルム(Dehalosplillum)属、デハロバクター(Dehalobacter)属、デハロバクテリウム(Dehalobacterium)属、デハロコッコイデス(Dehalocuccoides)属、クロストリジウム(Clostridium)属等の嫌気性細菌のほか、シトロバクター(Citrobacter)属、エシェリキア(Escherichia)属、エンテロバクター(Enterobacter)属、セラチア(Serratia)属、プロテウス(Proteus)属、シュワネラ(Shewanella)属、スタフィロコッカス(Staphylococcus)属等の通性嫌気性細菌を挙げることができる。
【００３６】
また、ダイオキシン類に対する分解能を有する嫌気性微生物の代表的な例としては、スフィンゴモナス(Sphingomonas)属、バークホリデリア(Burkholderia)属、ラルストニア(Ralstonia)属、シュードモナス(pseudomonas)属、ノカルジオイデス(Nocardioides)属、ロドコッカス(Rhodococcus)属、テラバクター(Terrabacter)属等を挙げることができる。
【００３７】
かかる構成による有機塩素系化合物で汚染された物質の浄化装置Ａにおいて、汚染物質ｐと嫌気性微生物ｍとは、予め混合・調整されてスクリューコンベア９により投入口３から分解槽２内に導入される。
【００３８】
このとき分解槽２内は投入口３および排出口４が多重弁５、６を閉止してそれぞれシールされており、攪拌翼１０を構成している反応鉄材１７の表面に酸化膜が形成されることにより、その内部は嫌気的条件が形成されている。もちろん、この嫌気的条件を良好にするための加熱器２０による温度や水供給配管２１からの水分またはｐＨ等が調整されている。
【００３９】
このようにして、嫌気的条件が形成されている分解槽２内に導入された汚染物質ｐと嫌気性微生物ｍとは攪拌機８により緩速で攪拌される。そして、嫌気性微生物ｍが活発に増殖し，かつ代謝することとなり、その結果、２〜８塩素化ダイオキシン類を還元分解することができる。
【００４０】
前記実施例においては、反応鉄材１７として直径５ｍｍ程度の鉄粉を使用し、これを攪拌翼１０内に充填する構造を採用しているが、ここで重要なことは、酸化性材料からなる反応鉄材１７を用いて積極的に処理物や雰囲気を酸化させてＯ2を消費させて系内を嫌気的条件を形成させるという点にある。
【００４１】
したがって、この反応鉄材１７は、必要により分解槽２の内壁面を構成しても良いし、また汚染物質ｐとの分離を考慮して多孔質部材より形成された球体内に充填して分解槽２に内蔵させるようにするなど，種々変更することが考えられる。
【００４２】
図４は、他の実施例を示すものであって、第二の分解槽３２（図１の符号２に相当）の上流側に第一の分解槽３１を配置したものである。
この第一の分解槽３１内には第一の駆動装置３３によって回転される攪拌機３４が内装されると共に、一方の端部の上方に投入口３５が、他方の端部の下方に排出口３６とがそれぞれ設けられ、これらの投入口３５と排出口３６には多重弁４２と４３が設けられている。
【００４３】
そしてこの分解槽３２の排出側の下部は壁面３７で仕切られており、この第一の分解槽３１内で処理された汚染物質ｐは、この壁面３７の上部に開口された排出口３８より、排出口３６に連通する水分調整室３９に供給されるようになっている。この水分調整室３９には水分調整ノズル４０により水分が必要に応じて添加されるように構成されている。
【００４４】
この水分調整室３９で必要とする水分に調整された第一段処理の汚染土壌は連結管４４を経由して第二の分解槽３２に供給されて嫌気的条件の基に処理されるようになっている。
【００４５】
この第二の分解槽３２は、前記実施例における分解槽２と同様に反応鉄材１７を内蔵（図３参照）するとともに、第二の駆動装置４５により回転する攪拌機４６を内装している。
【００４６】
スクリューコンベア等の処理物供給装置４６によって汚染土壌ｐと嫌気性部生物と好気性微生物からなる微生物ｍが弟一の分解槽３１に所定量ずつ供給されるようになっている。
【００４７】
そして、この第一の分解槽３１、第二の分解槽３２、第一の駆動装置３３、第二の駆動装置４５、第一の処理物供給装置４６および第二の処理物供給装置に相当する排出口３６により有機塩素系化合物で汚染された物質の浄化装置Ｂが構成されている。
【００４８】
かかる構成による有機塩素系化合物で汚染された汚泥などの物質の浄化装置Ｂにおいて、汚染物質ａと嫌気性微生物ｂと好気性微生物ｃとは混合され、第一の処理物供給装置３１から投入口３５を経て第一の分解炉３１内に導入され、ここで攪拌機３４により攪拌される。この第一の分解炉３１内は、好気的条件が形成されているため、ここで好気性微生物ｃが活発に増殖し代謝する。このことにより、汚染物質ｐ中に存在するダイオキシン類の内、１〜３塩素化ダイオキシン類が酸化分解される。
【００４９】
このようにして、１〜３塩素化ダイオキシン類が酸化分解された汚染物質ｐは、排出口３８から水分調整室３９に至り、ここで水分調整のためおよび界面活性剤としての水Ｗがノズル４０より供給される。そして、必要に応じて、図示しない攪拌機で攪拌される。その後、図示しない第二の処理物供給装置により多重弁４３でシールを保持しながら、第二の分解槽３２内に導入される。そして、この第二の分解槽３２内で攪拌機４７で攪拌しながら嫌気性微生物ｂにより２〜８塩素化ダイオキシン類を還元分解する。これにより、汚染物質ｐは、浄化され処理済み物質ｐ２として、系外へ排出されるのである。
【図面の簡単な説明】
【００５０】
【図１】本発明による有機塩素系化合物で汚染された物質の浄化方法および装置の一実施例を示すものであって、浄化装置の概略側面図である。
【図２】図１の攪拌機の要部の拡大図である。
【図３】図２のＸ―Ｘ断面図である。
【図４】本発明による有機塩素系化合物で汚染された物質の浄化方法および装置の他の実施例を示すものであって、浄化装置の概略側面図である
【符号の説明】
【００５１】
１・・・・本体
２・・・・分解槽
３、２５・・・・投入口
４、２６・・・・排出口
５、６・・多重弁
８、３４、４６・・・・攪拌機
９，４６・・・スクリューコンベア
１０・・・攪拌翼
１１・・・・回転軸
１２ａ、１２ｂ・・・縦部材
１３・・・・横部材
１４・・・・山形材
１５・・・・多孔板、メッシュ部材
１６・・・・空間部
１７・・・・反応鉄材
３１・・・・第一の分解槽
３２・・・・第二の分解槽
３３・・・・第一の駆動装置
３５・・・・投入口
３６・・・・排出口
３７・・・・壁面
３９・・・・水分調整室
４５・・・・第二の駆動装置
４６・・・・第一の処理物供給装置
４７・・・・攪拌機
【図１】
2006239559.tif 000003
【図２】
2006239559.tif 000004
【図３】
2006239559.tif 000005
【図４】
2006239559.tif 000006